(57)【特許請求の範囲】
【請求項１】
便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
前記軸部材の外周面と前記筒部材の内周面との間に配置され、弾性力により前記軸部材を上昇させる弾性部材とを備えており、
前記軸部材は、前記筒部材よりも長く形成され、前記筒部材の下端よりも下方に突出した下端部に設けられ、前記筒部材の下面に係止する係止部を有していることを特徴とする便座リフトアップ装置。
【請求項２】
前記筒部材の下端部は強磁性体からなり、前記係止部は磁力を有していることを特徴とする請求項１記載の便座リフトアップ装置。
【請求項３】
便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
前記軸部材の外周面と前記筒部材の内周面との間に配置され、弾性力により前記軸部材を上昇させる弾性部材と、
前記筒部材を前記取付孔に固定することにより前記便器本体の後部上面に固定される下プレートと、
前記軸部材の上端部に連結され、前記軸部材の上下動とともに上下動可能であり、前記便座支持部材が取り付けられる上プレートとを備えており、
前記下プレート及び前記上プレートに設けられ、前記弾性部材の弾性力に抗して前記下プレートと前記上プレートとを重ね合わせた状態に保持するロック機構を有していることを特徴とする便座リフトアップ装置。
【請求項４】
便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
中心軸部に前記軸部材が貫通し、前記軸部材の外周面と前記筒部材の内周面との間に配置され、弾性力により前記軸部材を上昇させる弾性部材である圧縮コイルバネと、
前記軸部材の上端部に連結されて、この軸部材とともに上下動し、前記圧縮コイルバネの外周を覆う円筒状のカバー部材とを備えていることを特徴とする便座リフトアップ装置。
【発明の詳細な説明】
【技術分野】
【０００１】
本発明は便座リフトアップ装置に関する。
【背景技術】
【０００２】
特許文献１の図１に従来の便座リフトアップ装置が開示されている。この便座リフトアップ装置は、軸部材、筒部材及び圧縮コイルバネを備えている。軸部材は、円柱状であり、便座を回動自在に軸支する便座支持部材の底面に取り付けられ、垂直下方に延びている。筒部材は円筒状であり、上端部の外周縁には外側に拡がる鍔部が形成されている。また、筒部材の外周面には螺子山が形成されている。筒部材は、便器本体の後部上面に垂直方向に貫設された取付孔に対して上方から挿入され、下端からねじ込まれたナットにより取付孔に固定されている。筒部材の下端開口は蓋部材により閉鎖されている。筒部材の内周面は軸部材を上下方向に移動可能に保持している。筒部材の下部に形成された軸部材の下端面と蓋部材の上面との間の空間に圧縮コイルバネが収納されている。この圧縮コイルバネの弾性力により軸部材は上方へ付勢されている。
【０００３】
この便座リフトアップ装置では、圧縮コイルバネの弾性力により軸部材を上昇させ、便座を回動自在に軸支する便座支持部材を上昇させることができる。このため、この便座リフトアップ装置により便座装置を便器本体から上昇させ、それにより便座支持部材と便器本体の後部上面との間に生じた隙間を利用して便器本体の後部上面を掃除することができる。
【先行技術文献】
【特許文献】
【０００４】
【特許文献１】特開２０００−５１００号公報
【発明の概要】
【発明が解決しようとする課題】
【０００５】
しかし、上記従来の便座リフトアップ装置では、圧縮コイルバネの長さが短いため、便座装置の上昇量が小さい。このため、便座装置が上昇して生じた便座支持部材と便器本体の後部上面との間の隙間に雑巾などの掃除具を挿入し難く、便器本体の後部上面の掃除がし難い。そこで、便座装置の上昇量を大きくするためには、伸張量が大きい長い圧縮コイルバネを利用することが考えられる。この場合、軸部材の下端面と蓋部材の上面との間の空間を長くしたり、軸部材の長さを長くしたりしなければならない。このため、便器本体の取付孔の下方に突出する筒部材が長くなる。また、筒部材を取付孔に固定するためにはナットを筒部材の下方からねじ込むために挿入する空間も必要である。このようなことから、筒部材の下方の空間の上下方向の長さを長くしなければならない。しかし、便器本体の取付孔の下方の空間の上下方向の長さを長くすることができなかったり、既存の便器では便器本体の取付孔の下方の空間の上下方向の長さが短かったりする場合がある。この場合には、このような便座リフトアップ装置を利用することができず、便座装置を十分に上昇させることができない。
【０００６】
本発明は、上記従来の実情に鑑みてなされたものであって、便座装置を十分に上昇させ、便器本体の後部上面を容易に掃除することができる便座リフトアップ装置及びそれを具備した便座装置を提供することを解決すべき課題としている。
【課題を解決するための手段】
【０００７】
第１発明の便座リフトアップ装置は、便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
前記軸部材の外周面と前記筒部材の内周面との間に配置され、弾性力により前記軸部材を上昇させる弾性部材とを備えており、
前記軸部材は、前記筒部材よりも長く形成され、前記筒部材の下端よりも下方に突出した下端部に設けられ、前記筒部材の下面に係止する係止部を有していることを特徴とする。
【０００８】
この便座リフトアップ装置では、軸部材を上昇させる弾性部材が軸部材の外周面と筒部材の内周面との間に配置されている。つまり、弾性部材を軸部材にオーバーラップさせて筒部材内に収納するため、筒部材を長くしなくても長い弾性部材を採用することができる。長い弾性部材を採用することによって、弾性部材の伸張量を大きくすることができ、便座装置の上昇量を大きくすることができる。このため、便座装置を上昇させた際、便座支持部材と便器本体の後部上面との間の隙間を大きくすることができる。
【０００９】
したがって、第１発明の便座リフトアップ装置では、便座装置を十分に上昇させ、便器本体の後部上面を容易に掃除することができる。
【００１０】
前記貫通孔は、下部の内径が前記軸部材の外径より僅かに大きく形成され、その内周面が軸部材の軸方向への上下動を案内し、上部の内径が下部の内径よりも大きく形成され、その内周面と軸部材の外周面との間に前記弾性部材が収納され得る。この場合、貫通孔の下部の内周面によって軸部材の軸方向への上下動を案内されるため、便座装置の昇降を安定して行なうことができる。
【００１１】
前記軸部材は、前記筒部材よりも長く形成され、前記筒部材の下端よりも下方に突出した下端部に設けられ、前記筒部材の下面に係止する係止部を有している。この場合、軸部材が上昇した際、筒部材の下面に係止部が係止するため、軸部材が筒部材から抜けてしまうことを防止することができる。このため、便座装置が上昇した際、便座装置が便器本体から外れてしまうことを防止することができる。また、便座装置を上昇させた状態でも、軸部材は筒部材を貫通し、筒部材に保持されるため、便座装置の上昇状態を安定させることができる。さらに、軸部材を上昇させ、筒部材の下端から下方に突出する軸部材の長さを短くすることにより、筒部材の下方の空間の上下方向の長さを長くすることができるため、筒部材の下方からナットをねじ込み易く、取付孔に筒部材を容易に取り付けることができる。
【００１２】
前記筒部材の下端部は強磁性体からなり、前記係止部は磁力を有し得る。この場合、軸部材が上昇すると、軸部材の下端部に設けられた係止部が筒部材の下端部に磁着する。このため、便座装置の上昇状態を弾性部材の弾性力のみでなく、係止部の磁力によっても保持することができ、便座装置の上昇状態を安定させることができる。
【００１３】
第２発明の便座リフトアップ装置は、便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
前記軸部材の外周面と前記筒部材の内周面との間に配置され、弾性力により前記軸部材を上昇させる弾性部材と、
前記筒部材を前記取付孔に固定することにより前記便器本体の後部上面に固定される下プレートと、
前記軸部材の上端部に連結され、前記軸部材の上下動とともに上下動可能であり、前記便座支持部材が取り付けられる上プレートとを備えており、
前記下プレート及び前記上プレートに設けられ、前記弾性部材の弾性力に抗して前記下プレートと前記上プレートとを重ね合わせた状態に保持するロック機構を有していることを特徴とする。
この場合、ロック機構が弾性部材の弾性力に抗して下プレートと上プレートとを重ね合わせた状態に保持することにより、便座装置が便器本体の上面に載置されるため、便座装置の通常の使用が可能となる。
【００１４】
第３発明の便座リフトアップ装置は、便座及びこの便座を回動自在に軸支する便座支持部材を有する便座装置を昇降可能に便器本体の上面に取り付ける便座リフトアップ装置であって、
前記便座支持部材の底面に取り付けられ、垂直下方に延びる軸部材と、
前記便器本体の後部上面に垂直方向に貫設された取付孔に固定され、前記軸部材が上下動可能に貫通する貫通孔を有する筒部材と、
中心軸部に前記軸部材が貫通し、前記軸部材の外周面と前記筒部材の内周面との間に配置され、弾性力により前記軸部材を上昇させる弾性部材である圧縮コイルバネと、
前記軸部材の上端部に連結されて、この軸部材とともに上下動し、前記圧縮コイルバネの外周を覆う円筒状のカバー部材とを備えていることを特徴とする。
この場合、カバー部材が圧縮コイルバネの外周を覆うため、圧縮コイルバネを形成する線材間に埃などが溜まることを防止することができる。このため、圧縮コイルバネの伸縮を長期にわたり良好に行なうことができるため、便座装置の昇降を良好に行なうことができる。
【００１５】
前記上プレートの左右両端部に前後方向に延びる平板状の挿入片が形成されており、前記便座支持部材の底面に形成された内方及び後方に向けて開口する一対の挿入溝に挿入片が挿入され係止した状態で上プレートに便座支持部材が取り付けられ得る。この場合、便器本体の後部上面に取り付けられた便座リフトアップ装置の前方から便座支持部材を後方へスライドさせることにより、挿入溝へ挿入片を挿入させ係止させることができる。このように、便器本体の上面に取り付けられた便座リフトアップ装置に対して便座装置を容易に取り付けることができる。また、挿入溝を有する便座装置であれば、便座リフトアップ装置を介して、便器本体に後付けしたり、交換したりすることができる。
【００１６】
前記ロック機構は、前記便座支持部材に設けられたレバー部材により解除可能であり得る。この場合、便座支持部材のレバー部材を操作することにより、ロック機構を容易に解除することができ、便座装置を上昇させることができる。
【図面の簡単な説明】
【００１７】
【図１】実施例の便座リフトアップ装置により便器本体に取り付けられた便座装置の上昇状態を示す側面図である。
【図２】実施例の便座リフトアップ装置により便器本体に取り付けられた便座装置の下降状態を示す側面図である。
【図３】実施例の便座リフトアップ装置の分解斜視図である。
【図４】実施例の便座リフトアップ装置の便器本体への取付けを示す断面図である。
【図５】実施例の便座リフトアップ装置の平面図である。
【図６】実施例の便座リフトアップ装置と便座装置との取付けを示す斜視図である。
【図７】実施例の便座リフトアップ装置により便器本体に取り付けられた便座装置の下降状態を示す図５における矢視Ｘ−Ｘ断面図である。
【図８】実施例の便座装置が取り付けられた便座リフトアップ装置の平面図であり、（Ａ）は便座装置の取付け状態を示し、（Ｂ）ロック機構の解除状態を示す。
【図９】実施例の便座リフトアップ装置により便器本体に取り付けられた便座装置の上昇状態を示す図５における矢視Ｘ−Ｘ断面図である。
【発明を実施するための形態】
【００１８】
第１〜第３発明の便座リフトアップ装置を具体化した実施例を図面を参照しつつ説明する。
【実施例】
【００１９】
実施例の便座リフトアップ装置１０は、図１及び図２に示すように、便器本体１の上面に便座装置３を昇降可能に取り付けることができる。便器本体１は後端部上面に洗浄タンク２を載置している。便座装置３は、便座４と、便蓋５と、便座４及び便蓋５を回動自在に軸支する便座支持部材６を有している。便座支持部材６には、前端部の下面から斜め前方下方に突出可能な局部洗浄ノズルＮなどを有する局部洗浄装置が組み込まれている。
【００２０】
便座リフトアップ装置１０は、図３及び図４に示すように、軸部材２０、筒部材３０、弾性部材である圧縮コイルバネ４０、カバー部材５０、上プレート６０及び下プレート７０を備えている。
【００２１】
軸部材２０は、第１円柱部２０Ａと、第１円柱部２０Ａの下端に同軸上に延びて形成され、第１円柱部２０Ａよりも小径の第２円柱部２０Ｂと、第１円柱部２０Ａの上端に形成され、第１円柱部２０Ａよりも外側に広がる円盤状の鍔部２０Ｃとから形成されている。軸部材２０には、鍔部２０Ｃの上面から軸上に螺子孔が形成されている。
【００２２】
筒部材３０は軸方向に貫通する貫通孔３２を有する円筒形である。筒部材３０は、外周面に螺子山が形成されており、パッキン３６を挿通可能であり、ナット３５をねじ込み可能である。筒部材３０の上端には正方形の鍔部３１が形成されている。鍔部３１の上面には軸部材２０の鍔部２０Ｃが嵌まり込む凹部３１Ａが形成されている。鍔部３１の下面には、各辺の中央部から内側に延びる凸条部３１Ｂが形成されている。筒部材３０の貫通孔３２は、鍔部３１側である上部を形成する第１孔部３２Ａと、第１孔部３２Ａの下方に連続して下部を形成する第２孔部３２Ｂとから構成されている。第１孔部３２Ａと第２孔部３２Ｂとは同軸上に形成されている。第１孔部３２Ａの内径は第２孔部３２Ｂの内径よりも大きく形成されている。第２孔部３２Ｂの内径は軸部材２０の第２円柱部２０Ｂの外径より僅かに大きく形成されており、その内周面が軸部材２０の軸方向への上下動を案内する。このため、軸部材２０の軸方向への上下動を安定して行なうことができる。筒部材３０は鉄製である。
【００２３】
軸部材２０の軸方向の長さは筒部材３０の軸方向の長さよりも長く形成されている。このため、筒部材３０の貫通孔３２に上方から挿入された軸部材２０は、下端部が筒部材３０の貫通孔３２の下端開口から突出する。貫通孔３２の下端開口から突出した軸部材２０の下端面には、リング状の磁石２４Ｍと、磁石２４Ｍを挟持する一対のワッシャー２４ＷとがボルトＢ１により固定され、係止部２４が形成されている。係止部２４の外径は第２孔部３２Ｂの内径よりも大きく形成されている。このため、軸部材２０が上昇すると、係止部２４は筒部材３０の下面に係止するとともに磁石２４Ｍの磁力により磁着する。
【００２４】
圧縮コイルバネ４０は中心軸部に軸部材２０が貫通している。圧縮コイルバネ４０は、軸部材２０とともに筒部材３０の第１孔部３２Ａに上方から挿入されている。圧縮コイルバネ４０は、上端が軸部材２０の鍔部２０Ｃの下面に当接し、下端が筒部材３０の貫通孔３２の第１孔部３２Ａと第２孔部３２Ｂとの境界部に形成された段部３３に当接した状態で、軸部材２０の外周面と筒部材３０の内周面との間に配置されている。このように圧縮コイルバネ４０は軸部材２０にオーバーラップして筒部材３０内に収納されている。このため筒部材３０を長くしなくても圧縮コイルバネ４０を長くすることができ、圧縮コイルバネ４０の伸張量を大きくすることができる。圧縮コイルバネ４０が伸張した状態では、筒部材３０の上方に軸部材２０の第１円柱部２０Ａの大半が突出する。
【００２５】
カバー部材５０は、円筒体であり、上端部の４方向に軸部材２０の鍔部２０Ｃに係止するコ字状の爪部５１が形成されている。爪部５１が軸部材２０の鍔部２０Ｃの外周縁を挟み込むように係止することにより、カバー部材５０が鍔部２０Ｃに連結されている。このため、カバー部材５０は軸部材２０とともに軸方向に上下動可能である。カバー部材５０は、軸部材２０が貫通した圧縮コイルバネ４０の外周を覆いつつ、筒部材３０の第１孔部３２Ａに上方から挿入されている。カバー部材５０は、圧縮コイルバネ４０の弾性力により軸部材２０とともに上昇しても、下部が筒部材３０の第１孔部３２Ａに挿入される長さを有している。このため、圧縮コイルバネ４０が伸張することにより、筒部材３０の上方に位置する圧縮コイルバネ４０は露出しない。よって、圧縮コイルバネ４０を形成する線材間に埃などが溜まることを防止することができ、圧縮コイルバネ４０の伸縮を長期にわたり良好に行なうことができる。
【００２６】
上プレート６０は、上面プレート６１と上固定プレート６２とを有している。上面プレート６１は平板状であり、左右両端部には前後方向に延びる挿入片６３が形成されている。左右の各挿入片６３の内側には前後方向に延び、ワッシャーＷが嵌まり込む長円形の一対の凹部６４が形成されている。左右各凹部６４の左右中心部には前後方向に延び、ボルトＢ１が挿通可能な第１長孔６４Ｈが貫設されている。凹部６４より内側には一対の第１切欠部６５が形成されている。各第１切欠部６５は、後述する上固定プレート６２に形成された第１挿入溝６７Ａ及び係止溝６７Ｂが上方に開口するように切り欠かれている。第１切欠部６５より内側である上面プレート６１の中央部には、前方に開放された第２切欠部６６が形成されている。第２切欠部６６は、後述する上固定プレート６２に形成された第２挿入溝６８が上方に開口し、かつ後述する下プレート７０に設けられたロック部材８０の一部を上方に露出させ、ロック部材８０を上方から操作可能に切り欠かれている。
【００２７】
上固定プレート６２の左右幅は上面プレート６１に形成された左右各凹部６４の間隔よりも小さく形成されている。このため、上固定プレート６２の上面に上面プレート６１がボルトＢ２により固定された際、上面プレート６１の各凹部６４及び各挿入片６３は、上固定プレート６２の左右上端より外側に位置している。上固定プレート６２の左右両端部には、前方及び上方に開口し、前後方向に延びる一対の第１挿入溝６７Ａが形成されている。各第１挿入溝６７Ａの右側面は後部が左斜め後方に屈曲している。上固定プレート６２には、各第１挿入溝６７Ａの後端部に連続して右方向に延び、上方に開口する係止溝６７Ｂが形成されている。上固定プレート６２の前部中央には、前方、後方及び上方に開口した第２挿入溝６８が形成されている。第２挿入溝６８の後部には上下方向に貫通する開口部６９が形成されている。開口部６９を形成する前側壁には水平方向に延びる平板状の第１係止棚部８１Ａが形成され、後側壁には水平方向に延びる平板状の第２係止棚部８２Ａが形成されている。開口部６９は、後述する下固定プレート７１に設けられたロック部材８０を収納する収納部７５を下方から挿入可能に形成されている。
【００２８】
上プレート６０は、上固定プレート６２の上面に上面プレート６１がボルトＢ２により固定されて構成されている。上面プレート６１に形成された一対の凹部６４にワッシャーＷが載置され、ワッシャーＷを介して左右の第１長孔６４Ｈに上方からボルトＢ１が挿通されている。第１長孔６４Ｈを挿通したボルトＢ１が軸部材２０の鍔部２０Ｃの上面から下方に延びる螺子孔にねじ込まれ、軸部材２０が上面プレート６１の下面に固定されている。上プレート６０に対する軸部材２０の固定位置は、前後方向に延びる第１長孔６４Ｈにより前後方向に調整可能である。このため、上プレート６０を後述する下プレート７０に対して重ね合わせ状態に下降させることができる。上プレート６０の左右下面に固定された一対の軸部材２０には、前述したように圧縮コイルバネ４０、カバー部材５０、筒部材３０及び係止部２４が組み付けられている。
【００２９】
下プレート７０は、下固定プレート７１と下面プレート７２とを有している。下固定プレート７１は、上固定プレート６２が嵌まりこむ中央部７３と、中央部の左右に設けられ、前後方向に延びる溝部７４とを有している。溝部７４の底面の左右中央部には前後方向に延びる第２長孔７４Ｈが設けられている。溝部７４の左右幅は、筒部材３０の鍔部３１の一片よりも僅かに大きく形成され、第２長孔７４Ｈの左右幅は筒部材３０の径よりも僅かに大きく形成されている。このため、筒部材３０は第２長孔７４Ｈに挿通されると、筒部材３０の鍔部３１が第２長孔７４Ｈの左右縁部の上面に係止する。第２長孔７４Ｈの左右縁部の上面には複数の凸部７４Ｃが所定間隔毎に配置されている。凸部７４Ｃ間に筒部材３０の鍔部３１の下面に形成された凸条部３１Ｂが嵌まりこむため、筒部材３０に対して下プレート７０を前後方向にずれなくすることができる。各溝部７４の下面には、前後方向に延びる２本の滑り止め用のパッキン７７が貼着されている。
【００３０】
下固定プレート７１の中央部７３には、ロック部材８０を収納する収納部７５が形成されている。ロック部材８０は、左右に延びる略四角柱形であり、中央部に前方及び上方に開口する第１凹部８３が設けられている。第１凹部８３を形成する右壁部８３Ｒよりも右側には上方及び右方に開口する第２凹部８４が設けられている。第２凹部８４には、右壁部８３Ｒの右側面に左端を当接させて圧縮コイルバネ８５が収納される。ロック部材８０の前面の左側には水平方向に延びる第１係止爪８１Ｂが形成され、後面の右側には水平方向の延びる第２係止爪８２Ｂが形成されている。第１係止爪８１Ｂ及び第２係止爪８２Ｂの左側上面は左下方に向けて傾斜する傾斜面である。収納部７５は、横長四角柱形の空洞部を形成しており、下方に開口している。また、収納部７５の前面には前面開口部７６Ｆが形成され、上面には前面開口部７６Ｆに連続した上面開口部７６Ｔが形成されている。さらに、収納部７５の後面には後面開口部７６Ｂが形成されている。
【００３１】
ロック部材８０は下方開口から収納部７５に挿入され、収納される。ロック部材８０は、収納部７５内で左右方向に移動可能であり、圧縮コイルバネ８５の弾性力により左方向に付勢される。収納部７５にロック部材８０を収納した状態で、下面プレート７２をボルトＢ２により下固定プレート７１の下面に固定する。これにより、収納部７５の下方開口は閉鎖される。この状態で、収納部７５の前面開口部７６Ｆからロック部材８０の第１係止爪８１Ｂが突出し、後面開口部７６Ｂから第２係止爪８２Ｂが突出している。また、上面開口部７６Ｔには、第１凹部８３及び第２凹部８４の左側の一部が露出している。
【００３２】
下プレート７０に対して上プレート６０を下降させると、上固定プレート６２に形成された第１係止棚部８１Ａがロック部材８２に形成された第１係止爪８１Ｂの左側上面に当接し、第２係止棚部８２Ａが第２係止爪８２Ｂの左側上面に当接する。上プレート６０をさらに下降させると、第１係止棚部８１Ａ及び第２係止棚部８２Ａが第１係止爪８１Ｂ及び第２係止爪８２Ｂの左側上面の傾斜面に沿うように下降するため、ロック部材８０は圧縮コイルバネ８５の弾性力に抗して右方向に移動する。そして、上プレート６０が完全に下降し、上プレート６０と下プレート７０とが重ね合わせた状態になると、第１係止棚部８１Ａ及び第２係止棚部８２Ａは第１係止爪８１Ｂ及び第２係止爪８２Ｂの下方に位置する。このため、ロック部材８０は圧縮コイルバネ８５の弾性力により左方向に移動する。これにより、第１係止棚部８１Ａは第１係止爪８１Ｂに係止し、第２係止棚部８２Ａは第２係止爪８２Ｂに係止する。このように第１係止棚部８１Ａ、第２係止棚部８２Ａ、第１係止爪８１Ｂ及び第２係止爪８２Ｂにより、上プレート６０と下プレート７０とを重ね合わせた状態に保持するロック機構が構成されている。
【００３３】
上プレート６０と下プレート７０とを重ね合わせた状態でロック部材８０を圧縮コイルバネ８５の弾性力に抗して右方向に移動させると、第１係止棚部８１Ａと第１係止爪８１Ｂとの係止が解除され、第２係止棚部８２Ａと第２係止爪８２Ｂとの係止も解除される。これにより、軸部材２０の外周面と筒部材３０の内周面との間に配置された圧縮コイルバネ４０の弾性力により、上プレート６０は下プレート７０に対して上方へ移動する。
【００３４】
このように構成された便座リフトアップ装置１０を利用して便器本体１の上面へ便座装置３を取り付ける手順を説明する。
【００３５】
便器本体１には、洗浄タンク２よりも前方の後部上面に左右方向に所定間隔を有する一対の取付孔１Ｈが設けられている。先ず、各取付孔１Ｈと下プレート７０に設けられた各第２長孔７４Ｈとが重なるように下プレート７０を便器本体１の後部上面に載置する。この際、各第２長孔７４Ｈが前後方向に延びているため、便器本体１の大きさ及び形状に応じて、下プレート７０を前後方向に移動させ、便器本体１の後部上面の適宜位置に下プレート７０を載置する。
【００３６】
次に、図４に示すように、各第２長孔７４Ｈ及び各取付孔１Ｈに対して上方から筒部材３０を挿入する。各筒部材３０には、上プレート６０に連結され、下方に延びる一対の軸部材２０が貫通している。また、圧縮コイルバネ４０の弾性力により、筒部材３０に対して軸部材２０は上昇し、軸部材２０の下端に形成された係止部２４が筒部材３０の下面に係止するとともに磁着している。このため、取付孔１Ｈを貫通した筒部材３０の下端から下方には係止部２４しか突出していないため、パッキン３６及びナット３５を下端から挿入することができる下方空間Ｓを確保することができる。
【００３７】
次に、各取付孔１Ｈの下端開口から突出した筒部材３０の下端からパッキン３６を挿入し、ナット３５をねじ込む。これにより、便器本体１の後部上面への便座リフトアップ装置１０の取付けが完了する。
【００３８】
次に、図５に示すように、圧縮コイルバネ４０の弾性力に抗して上プレート６０を下降させ、ロック機構により上プレート６０と下プレート７０とを重ねあわせ状態に保持する。つまり、第１係止棚部８１Ａを第１係止爪８１Ｂに係止させ、第２係止棚部８２Ａを第２係止爪８２Ｂに係止させる。
【００３９】
次に、図６に示すように、便器本体１の後部上面に取り付けられた便座リフトアップ装置１０に便座装置３を取り付ける。便器本体１の便座支持部材６の底面には、重ねあわせ状態の上プレート６０と下プレート７０とを収納可能な凹部９が設けられている。凹部９は後方及び下方に向けて開口している。凹部９の左右両端の上縁部には内方及び後方に向けて開口する一対の挿入溝８が形成されている。挿入溝８は上プレート６０の挿入片６３を挿入し係止可能である。また、便座支持部材６にはレバー部材７が組み込まれている。レバー部材７の一端部は下方に屈曲した操作爪７Ｃが設けられている。操作爪７Ｃの外側面は便座支持部材６の側面に露出している。レバー部材７は左右方向にスライド可能に便座支持部材６に組み付けられている。レバー部材７は圧縮コイルバネＳ１により右方向に付勢され、圧縮コイルバネＳ２により左方向に付勢され、左右どちらにも移動可能な中間位置に保持されている。レバー部材７には、下方に延び、凹部９内に突出した一対の係止片７Ａと、解除片７Ｂとが設けられている。係止片７Ａは、上プレート６０の第１挿入溝６７Ａに挿入され、係止溝６７Ｂに係止可能である。解除片７Ｂは、上プレート６０の第２挿入溝６８に挿入され、下プレート７０に組み込まれたロック部材８０の第１凹部８３内に挿入可能である。
【００４０】
このような構成を具備する便座支持部材６を便座リフトアップ装置１０より前側の便器本体１の上面に載置し、ロック機構により重ねあわせ状態に保持された上プレート６０と下プレート７０とを凹部９に収納するように便座装置３を後方にスライドさせる。すると、図７及び図８（Ａ）に示すように、上プレート６０の挿入片６３が便座支持部材６に形成された挿入溝８に挿入され係止する。また、上プレート６０の挿入溝６７Ａに前方から挿入された係止片７Ａが係止溝６７Ｂに係止する。これにより、便座装置３は上方及び前後方向への移動が阻止され、便器本体１への取付けが完了する。このように、便器本体１の上面に取り付けられた便座リフトアップ装置１０に対して便座装置３を容易に取り付けることができる。
【００４１】
便座装置３を便器本体１から取り外す際には、レバー部材７の操作爪７Ｃを左方向に引き出す。これにより、係止片７Ａが左方向に移動するため、係止溝６７Ｂの係止が解除され、便座装置３を前方へスライドさせることができる。このようにして、便座装置３を便器本体１から取り外すことができる。このように、便座支持部材６が上述した構成を具備するものであれば、便座リフトアップ装置１０を介して、便器本体１に後付けしたり、交換したりすることができる。
【００４２】
便座装置３を便器本体１の上面から上昇させる際には、図８（Ｂ）示すように、レバー部材７の操作爪７Ｃを右方向に押し込む。これにより、解除片７Ｂが右方向に移動し、ロック部材８０の第１凹部８３の右壁部８３Ｒに当接してロック部材８０を右方向に移動させる。これにより、第１係止棚部８１Ａと第１係止爪８１Ｂとの係止が解除され、第２係止棚部８２Ａと第２係止爪８２Ｂとの係止も解除される。そして、図９に示すように、軸部材２０の外周面と筒部材３０の内周面との間に配置された圧縮コイルバネ４０の弾性力により、便座装置３が便器本体１の上面から上昇する。このように、ロック機構を容易に解除させることができ、便座装置３を上昇させることができる。
【００４３】
この便座リフトアップ装置１０は、圧縮コイルバネ４０を軸部材２０にオーバーラップさせて筒部材３０内に収納しているため、筒部材３０を長くしなくても圧縮コイルバネ４０を長くすることができる。このため、圧縮コイルバネ４０の伸張量を大きくすることができるため、便座装置３の上昇量を大きくすることができる。
【００４４】
したがって、実施例の便座リフトアップ装置１０では、便座装置３を十分に上昇させ、便器本体１の後部上面を容易に掃除することができる。
【００４５】
また、便座装置３を上昇させた状態では、軸部材２０の下端に形成された係止部２４が筒部材３０の下面に係止するとともに磁着している。このため、便座装置３を上昇させた際に便座装置３が便器本体１から外れてしまうことを防止することができる。また、便座装置３の上昇状態を圧縮コイルバネ４０の弾性力のみでなく、係止部２４の磁石２４Ｍの磁力によっても保持することができるため、便座装置３の上昇状態を安定させることができる。また、筒部材３０の貫通孔３２の第２孔部３２Ｂの内周面が軸部材２０の第２円柱部２０Ｂを保持しているため、便座装置３の上昇状態を安定させることができる。さらに、カバー部材５０が圧縮コイルバネ４０の外周を覆っているため、圧縮コイルバネ５０を形成する線材間に埃などが溜まることが防止され、便座装置の昇降を良好に行なうことができる。
【００４６】
また、上昇した便座装置３を便器本体１の上面に下降させるには、便座支持部材６の上面を押えて便座装置３を下降させる。これにより、ロック機構の第１係止棚部８１Ａを第１係止爪８１Ｂに係止させ、第２係止棚部８２Ａを第２係止爪８２Ｂに係止させることができる。つまり、圧縮コイルバネ４０の弾性力に抗して上プレート６０と下プレート７０とを重ね合わせた状態に保持させることができ、便座装置３を便器本体１の上面に載置させ、通常の使用を可能にすることができる。
【００４７】
また、便座装置３が便器本体１に対して昇降させる際、筒部材３０の貫通孔３２の第２孔部３２Ｂの内周面が軸部材２０の第２円柱部２０Ｂの軸方向への上下動を案内しているため、便座装置３の昇降を安定して行なうことができる。
【００４８】
本発明は、上記記載及び図面によって説明した実施例に限定されるものではなく、例えば次のような実施例も本発明の技術的範囲に含まれる。
（１）実施例では上プレートを介して便座装置を取り付けていたが、軸部材の上端部を便座装置の下面に直接取り付けてもよい。
（２）実施例では筒部材を鉄製にし、軸部材の係止部が磁着するようにしていたが、下端部に強磁性体をインサートした樹脂製の筒部材にしてもよい。
（３）実施例では局部洗浄装置が組み込まれた便座装置であったが、他の機能が組み込まれた便座装置であってもよい。例えば、脱臭装置、空気清浄装置、音楽再生装置、芳香装置等を便座装置に組み込んでもよい。
（４）実施例では便蓋を有する便座装置であったが、便蓋を有さない便座装置であってもよい。
【産業上の利用可能性】
【００４９】
本発明の便座リフトアップ装置は局部洗浄機能付き便座装置などの便座装置に利用可能である。
【符号の説明】
【００５０】
１…便器本体
１Ｈ…取付孔
３…便座装置
４…便座
６…便座支持部材
７…レバー部材
８…挿入溝
１０…便座リフトアップ装置
２０…軸部材
２４…係止部
３０…筒部材
３２…貫通孔
４０…圧縮コイルバネ（弾性部材）
５０…カバー部材
６０…上プレート
６３…挿入片
７０…下プレート
８１Ａ、８１Ｂ、８２Ａ、８２Ｂ…ロック機構（８１Ａ…第１係止棚部、８１Ｂ…第１係止爪、８２Ａ…第２係止棚部、８２Ｂ…第２係止爪）
【図１】
0005511275.tif 000002
【図２】
0005511275.tif 000003
【図３】
0005511275.tif 000004
【図４】
0005511275.tif 000005
【図５】
0005511275.tif 000006
【図６】
0005511275.tif 000007
【図７】
0005511275.tif 000008
【図８】
0005511275.tif 000009
【図９】
0005511275.tif 000010